(57)【要約】 【課題】簡易に構成された上部タンクを提供することを目的とする。【解決手段】複数台のパチンコ遊技機を列設した遊技島内で、遊技島下部の玉貯留タンクから玉揚送装置を介して揚送されたパチンコ玉を遊技島の上部で貯留可能な上部タンクにおいて、上部タンクは、パチンコ玉を一時貯留するための貯留部と、他の島とパチンコ玉の供給及び受給を行うための供給受給部とに仕切り壁によって仕切られ、仕切り壁には、貯留部内でオーバーフローしたパチンコ玉を供給受給部へ送出するオーバーフロー口を設け、供給受給部に送り込まれたパチンコ玉は貯留部または玉貯留タンクへ送出可能な構成とする。【選択図】      図２
2006280539.tif 000002
【特許請求の範囲】
【請求項１】
複数台のパチンコ遊技機を列設した遊技島内で、遊技島下部の玉貯留タンクから玉揚送装置を介して揚送されたパチンコ玉を遊技島の上部で貯留可能な上部タンクにおいて、
該上部タンクは、パチンコ玉を一時貯留するための貯留部と、
他の島とパチンコ玉の供給及び受給を行うための供給受給部とに仕切り壁によって仕切られ、
前記仕切り壁には、前記貯留部内でオーバーフローしたパチンコ玉を前記供給受給部へ送出するオーバーフロー口を設け、
前記供給受給部に送り込まれたパチンコ玉は前記貯留部または前記玉貯留タンクへ送出可能であることを特徴とする上部タンク。
【発明の詳細な説明】
【技術分野】
【０００１】
本発明は、複数台のパチンコ遊技機を列設した遊技島内で、島内を循環するパチンコ玉を遊技島の上部で貯留する上部タンクに関するものである。
【背景技術】
【０００２】
複数台（例えば１５台乃至２０台程度）のパチンコ遊技機を片面または両面に直線状に列設（横方向）させた遊技島において、遊技島内に貯留した玉を循環させるシステムは、例えば遊技島内に多量のパチンコ玉を貯留させる玉貯留タンクと、この玉貯留タンクの端部の玉排出口に設けられた玉供給装置と、この玉供給装置若しくは各パチンコ遊技機から回収樋に排出されたパチンコ玉を上方に揚送する玉揚送装置と、この玉揚送装置の上部には揚送されたパチンコ玉を一時貯留させておく上部タンクと、この上部タンクから各パチンコ遊技機や各遊技媒体貸出機に対してパチンコ玉を補給する補給樋と、上部タンクから溢れたパチンコ玉を玉貯留タンクに戻すためのオーバーフロー樋と、から大略構成され、島内のパチンコ玉が循環するようにし、営業に支障（補給トラブル等）がないようにしている。
【０００３】
このような遊技島に設置される上部タンクには、例えば特許文献１の中で示されているものがあり、その構造は以下のようになっている。上部タンクはメイン貯留部とサブ貯留部とに仕切られ、メイン貯留部は玉揚送装置によって揚送されたパチンコ玉を貯留し、サブ貯留部は隣接する島とバランス樋を介してパチンコ玉の供給受給を行う。メイン貯留部のパチンコ玉は補給樋を介してパチンコ遊技機や遊技媒体貸出機に供給される。メイン貯留部内がパチンコ玉で満杯になるとメイン貯留部の真中位置に設けたオーバーフローパイプからオーバーフロー樋へ送出され、遊技島下部の玉貯留タンクへ供給される。また、隣接する島から受給したパチンコ玉は、主にメイン貯留部へ送出されるが、メイン貯留部に所定量以上のパチンコ玉が貯留されている場合はオーバーフロー樋へ送出され、メイン貯留部でオーバーフローしたパチンコ玉と同様に玉貯留タンクへ供給される。
【特許文献１】特開２００３−２６０２５２号公報
【発明の開示】
【発明が解決しようとする課題】
【０００４】
上記したような上部タンクは、玉揚送装置によって揚送されたパチンコ玉を場合により、自島のパチンコ遊技機へ補給したり、隣接する島へ供給したり、玉貯留タンクへオーバーフローさせたりするなど、多くの経路へ送出する必要があるため、その内部は多数の部品で構成されていた。このため、少しでも部品点数を削減し、簡易な構成でつくられることが課題となっている。
【０００５】
本発明は、上記した点に鑑みなされたものであり、簡易に構成された上部タンクを提供することを目的とする。
【課題を解決するための手段】
【０００６】
上記した目的は、本発明によれば、複数台のパチンコ遊技機を列設した遊技島内で、遊技島下部の玉貯留タンクから玉揚送装置を介して揚送されたパチンコ玉を遊技島の上部で貯留可能な上部タンクにおいて、上部タンクは、パチンコ玉を一時貯留するための貯留部と、他の島とパチンコ玉の供給及び受給を行うための供給受給部とに仕切り壁によって仕切られ、仕切り壁には、貯留部内でオーバーフローしたパチンコ玉を供給受給部へ送出するオーバーフロー口を設け、供給受給部に送り込まれたパチンコ玉は貯留部または玉貯留タンクへ送出可能であることによって達成される。
【発明の効果】
【０００７】
本発明により、複数台のパチンコ遊技機を列設した遊技島内で、遊技島下部の玉貯留タンクから玉揚送装置を介して揚送されたパチンコ玉を遊技島の上部で貯留可能な上部タンクにおいて、上部タンクは、パチンコ玉を一時貯留するための貯留部と、他の島とパチンコ玉の供給及び受給を行うための供給受給部とに仕切り壁によって仕切られ、仕切り壁には、貯留部内でオーバーフローしたパチンコ玉を供給受給部へ送出するオーバーフロー口を設け、供給受給部に送り込まれたパチンコ玉は貯留部または玉貯留タンクへ送出可能であるので、貯留部にオーバーフローパイプを設ける必要がなくなり、部品点数が削減され、さらに、貯留部からの通路と供給受給部からの通路が一つになるので、下部の玉貯留タンクへの導入部分の構造が簡素化される。
【発明を実施するための最良の形態】
【０００８】
先ず始めに、図１に基づいて遊技島１の構成について説明する。
遊技島１は、複数台のパチンコ遊技機及び遊技媒体貸出機（周知なので共に不図示）が列設されている。図１に示す遊技島１は主に中央付近の玉揚送装置６より一方側（右側半分）のみを図示している。また、他方側（左側半分）にも同様の構成（玉貯留タンク７、玉供給装置５等）が備えられているが、図は略されている。
【０００９】
遊技島１は、複数台列設されたパチンコ遊技機及び遊技媒体貸出機と、パチンコ玉を磨きながら揚送する上部タンク２０を備えた玉揚送装置６と、遊技島内に多量のパチンコ玉を貯留する玉貯留タンク７（例えば、メイン玉貯留タンク７Ａ及びサブ玉貯留タンク７Ｂ）とが備えられ、該玉貯留タンク７から排出したパチンコ玉を上記玉揚送装置６により上部タンク２０内に揚送され、該上部タンク２０から各パチンコ遊技機及び各遊技媒体貸出機に補給樋８により補給され、該上部タンク２０内にて余剰したパチンコ玉を再び玉貯留タンク７に戻すためのオーバーフロー樋１０にて循環還流するように構成されている。
また、上部タンク２０の側面には隣接した遊技島の上部タンク２０へパチンコ玉を供給したり、受給したりすることができる一本又は二本のバランス樋（不図示）が掛け渡され、各遊技島の玉貯留量に応じて、バランス樋にて供給、受給することで、隣接した遊技島内の玉貯留量を均等化させることが出来るようにしている。
【００１０】
図１に示した遊技島内には、略１５万発程度の、また両面の両面島の場合は、略３０万発程度のパチンコ玉が島内の玉貯留タンク７内に貯留（保有）されている。上記した玉貯留タンク７は、遊技島に列設されるパチンコ遊技機の台数によって設置個数（少なくとも一個以上）、多量のパチンコ玉を貯留する長さが異なるものを備えるようになっていて、ここでは、一つのメイン玉貯留タンク７Ａ（長めの略長方形状と成し、約１０万個収納可能）と、このメイン玉貯留タンク７Ａに順次に接続される一つのサブ玉貯留タンク７Ｂ（メイン玉貯留タンク７Ａより少し短めの略長方形状と成し、約５万個収納可能）との二個の玉貯留タンク７が備えられている（ここでは、他方側は省略）。
【００１１】
さらに、遊技島の各設備品について説明する。
枠体で構築された遊技島には、複数台のパチンコ遊技機と遊技媒体貸出機とが交互に配設されている。このパチンコ遊技機の下方には、排出されたパチンコ玉（アウト玉）を回収する回収樋９が玉揚送装置６に向かって傾斜状に設けられている。略中央付近には回収したパチンコ玉を揚送する玉揚送装置６（例えば、布磨き揚送装置）が備えられ、磨きながら上部タンク２０に揚送させている。パチンコ遊技機の上方には、磨かれた上部タンク２０内のパチンコ玉を補給する補給樋８が端部に向かって傾斜状に設けられている。尚、上部タンク２０内において余剰したパチンコ玉はオーバーフロー樋１０にて島内に戻される。
【００１２】
上部タンク２０は、パチンコ玉を一時貯留しておく貯留部（空間）が設けられていて、上部タンク２０に設けた各々の排出口に補給樋８が、またオーバーフロー樋１０が接続されている。上部タンク２０内には上限スイッチＳｔと下限スイッチＳｄが設けられ、貯留量が減少していき下限スイッチＳｄが検知すると、島内の玉供給装置５を駆動させるようにしている。遊技島内の玉揚送装置６の両側には複数の玉貯留タンク７が備えられている。該各々の玉貯留タンク７は、多量のパチンコ玉を貯留させておく、長さを有した略長方形状に形成されている。また、各々の玉貯留タンク７には側壁に検知部７ａ、７ｂ（例えば、上限検出ＳＷ７ａ、下限検出ＳＷ７ｂ）が各々の高さの位置に設けられている。
【００１３】
島内の玉揚送装置６寄りの玉貯留タンク７には小型の玉供給装置５が隣接して設けられている。この玉供給装置５が駆動すると、玉貯留タンク７内のパチンコ玉が回収樋９へと排出され、玉揚送装置６にて揚送され、上部タンク２０内にて一時貯留される。このように玉貯留タンク７内の下方寄りに貯留しているパチンコ玉を順次玉供給装置５によって、僅かに持ち上げて放出することが出来るようにしている。
【００１４】
次に、本発明の要旨である上部タンク２０の構成について説明する。
上部タンク２０の内部は、図２に示すように、玉揚送装置６により揚送されたパチンコ玉を貯留する貯留部２０ａと、隣接する島とパチンコ玉の供給受給を行うための供給受給部２０ｂを備える。また、貯留部２０ａ側には玉揚送装置６により揚送された玉を上部タンク２０内へ受け渡す受渡し口２１が、供給受給部２０ｂ側には隣島へ玉を供給するための供給口２２と隣島からの玉の供給を受ける受給口２３が設けられ、上部タンク２０の側面に接続された不図示のバランス樋を介して隣接した島との玉の供給、受給を行う。
【００１５】
また、上部タンク２０は、パチンコ遊技機や各遊技媒体貸出機に対してパチンコ玉を供給する補給樋８の取付け部２５が設けられ、またオーバーフロー流路３０へ送られたパチンコ玉を玉貯留タンク７へ供給するオーバーフロー樋１０が取付けられている。
【００１６】
上部タンク２０の貯留部２０ａの上部に、上記玉揚送装置６により揚送されてきたパチンコ玉を受ける矩形状に開口した受渡し口２１から受け入れる上部ガイド板２７が先端に向かって僅かに傾斜して設けられている。
そして、パチンコ玉が上部ガイド板２７上を先端へと転動すると共に、上部ガイド板２７に形成した隙間２７ａから矢印のように、貯留部２０ａ内にパチンコ玉が落下貯留され、上部ガイド板２７の先端は供給受給部２０ｂに接続している。
【００１７】
供給受給部２０ｂ側に設けられた受給口２３の下方には、隙間２８ａを形成した中仕切板２８が傾斜して配置され、この中仕切板２８の先端部分で、上記仕切り壁２６との接合部分に貯留部２０ａに通ずる矩形状の導通口２６ａが開口し形成されている。
また、上記中仕切板２８の下方に、下部ガイド板２９が傾斜して配設され、中仕切板２８の隙間２８ａから供給されるパチンコ玉をオーバーフロー流路３０に送るように構成している。
さらに、上部タンク２０には、その下部にオーバーフロー樋１０が接続され、オーバーフロー流路３０へ送られたパチンコ玉はオーバーフロー樋１０を介して玉貯留タンク７へと供給されるように構成している。
尚、上記上部ガイド板２７、及び中仕切板２８、また下部ガイド板２９の各隙間２７ａ、２８ａおよび導通口２６ａは、それぞれパチンコ玉が通過できる充分な大きさに形成されている。
【００１８】
貯留部２０ａ内にはパチンコ玉の貯留量を検出するスイッチが設けられている。上方位置に貯留量の上限を検知する上限スイッチＳｔと、下方位置に貯留量の下限を検知する下限スイッチＳｄとが設けられている。
また、上部タンク２０の貯留部２０ａ内に、上限スイッチＳｔを越えてパチンコ玉が貯留された場合に、オーバーフロー口２４から供給受給部２０ｂにパチンコ玉が流れ、隙間２８ａ、下部ガイド板２９を通ってオーバーフロー流路３０へ送られ、オーバーフロー樋１０を介して玉貯留タンク７へと供給される。
【００１９】
本発明の実施形態による遊技島は以上のように構成されており、以下に示すように動作する。
遊技島１の島内に備えた玉揚送装置６寄りの玉貯留タンク７のパチンコ玉は、必要に応じて（上部タンク内の検出）排出され、玉供給装置５にて持ち上げられ回収樋９を介して、常時運転している玉揚送装置６により磨きながら上部タンク２０へと揚送され、補給樋８からパチンコ遊技機や遊技媒体貸出機に供給される。また、上部タンク２０の貯留部２０ａが満杯状態になると、オーバーフロー口２４から供給受給部２０ｂへ流れ込み、オーバーフロー流路３０、オーバーフロー樋１０を介して島内に備えた玉貯留タンク７内に再び送り込まれる。このようにして、遊技島１においてパチンコ玉が繰り返し循環還流される。
【００２０】
上記したように遊技島１においてパチンコ玉が繰り返し循環還流しているが、ある遊技島１において、列設した複数の台のパチンコ遊技機の大当たり回数が多く出ると（大当たり台が連続し、無制限の場合）、上部タンク２０内に貯留しているパチンコ玉の玉量が次第に減っていき、上部タンク２０内の下限スイッチＳｄが検出し、この検出信号に基づいて玉供給装置５が作動し、玉貯留タンク７内に貯留しているパチンコ玉が排出され、玉供給装置５にて持ち上げられたパチンコ玉は回収樋９を介して玉揚送装置６にて揚送し、上部タンク２０内の上限スイッチＳｔで検出するまで玉供給装置５は作動し、検出した時点で作動が停止する。
【００２１】
玉揚送装置６にて揚送されたパチンコ玉は、上部タンク２０へとパチンコ玉が供給され、受渡し口２１から上部ガイド板２７へと送られ、上部ガイド板２７上を供給受給部側に向かってパチンコ玉が転動し、このパチンコ玉の動作と共に、上部ガイド板２７の隙間２７ａから貯留部２０ａへ落下し、貯留される。
【００２２】
また、供給受給部側に送られたパチンコ玉は、このような状態では隣接するパチンコ遊技機にパチンコ玉を供給できる状態でないことから、供給口２２が不図示のシャッターによって閉じられており、上記上部ガイド板２７の隙間２７ａから貯留部２０ａへ落下し、貯留される。
【００２３】
一方、玉揚送装置６は開店時、常時運転していることから、パチンコ遊技機から排出されるパチンコ玉（アウト玉）は、玉貯留タンク７の両端の回収樋９にて回収され、玉揚送装置６により上部タンク２０へと磨きながら揚送され、上限スイッチＳｔ以上にパチンコ玉が貯留されると、オーバーフロー口２４から供給受給部２０ｂへ流れ込み、オーバーフロー流路３０、オーバーフロー樋１０を介して玉貯留タンク７内へとパチンコ玉が送られ、貯留する。
【００２４】
また、隣接する他の遊技島（不足している遊技島）からパチンコ玉の供給依頼信号を受信すると、シャッターを開き供給口２２からバランス樋を介して、隣接する遊技島の受給口２３へパチンコ玉が送り込まれる。
【００２５】
以上示したように構成することにより、貯留部にオーバーフローパイプを設ける必要がなくなり、部品点数が削減され、さらに、貯留部からの通路と供給受給部からの通路が一つになるので、下部の玉貯留タンクへの導入部分の構造が簡素化される。
【図面の簡単な説明】
【００２６】
【図１】本発明の上部タンクが適用される遊技島の構成を示す図である。
【図２】本発明の上部タンクの内部構造を示す図である。
【符号の説明】
【００２７】
１    遊技島
５    玉供給装置
６    玉揚送装置
７    玉貯留タンク
８    補給樋
９    回収樋
１０    オーバーフロー樋
２０    上部タンク
２０ａ  貯留部
２０ｂ  供給受給部
２４    オーバーフロー口
２６    仕切り壁
【図１】
2006280539.tif 000003
【図２】
2006280539.tif 000004